(57)【要約】【課題】導通面積を増やして、巻線抵抗を低くし、さらに、漏れインダクタンスが小さい新規なトランスを提供する。【解決手段】少なくとも、一次巻線１、二次巻線１０並びにコア２０を備えたトランスであって、前記コア２０の鉄芯２３に１ターンの二次巻線１０を巻いてあり、この二次巻線１０は、前記鉄芯２３を巻いた縁に周壁１２を設け、この周壁１２の下縁に鍔１１を備え、この鍔１１の外周に外周壁１３を備えて断面がＵ字型の溝状体１４を構成し、前記周壁１３に前記一次巻線１を巻いてあり、前記周壁１２の上縁に前記鍔１１とほぼ同形状で着脱可能な上鍔１３を設け、前記外周壁１４の一部に一次巻線１の引出部を引き出すための切欠１６を形成してあることを特徴とするトランス。【選択図】図１
2004087742.tif 000002
【特許請求の範囲】
【請求項１】
少なくとも、一次巻線、二次巻線並びにコアを備えたトランスであって、前記コアの鉄芯に１ターンの二次巻線を巻いてあり、この二次巻線は、前記鉄芯を巻いた縁に板状の周壁を設け、この周壁の上下両方の縁に鍔を設けて断面がコの字型になるように構成してあり、前記周壁に前記一次巻線を巻いてあることを特徴とするトランス。
【請求項２】
前記二次巻線は、前記鍔の外縁に前記周壁と平行の外周壁を設けて、この二次巻線が前記一次巻線を覆う構成にしてあるとともに、前記上鍔を着脱自在に構成してあり、前記外周壁の一部に一次巻線の引出部を引き出すための切欠若しくはスリットを形成してあることを特徴とする請求項１記載のトランス。
【請求項３】
少なくとも、一次巻線、二次巻線並びにコアを備えたトランスであって、前記コアの鉄芯に１ターンの二次巻線を巻いてあり、この二次巻線は、前記鉄芯を巻いた縁に周壁を設け、この周壁の一方の縁に鍔を備え、この鍔の外縁に前記周壁と平行の外周壁を設けて断面がＵ字型になるように構成してあり、前記周壁に前記一次巻線を巻いてあることを特徴とするトランス。
【請求項４】
前記外周壁の一部に一次巻線の引出部を引き出すための切欠若しくはスリットを形成してあることを特徴とする請求項３記載のトランス。
【請求項５】
前記一次巻線、及び／又は前記二次巻線をプリント基板内に埋め込み、このプリント基板に前記コアの鉄芯を挿入する孔を設け、この孔に前記コアの鉄芯を挿入してあることを特徴とする請求項１乃至４のいずれかに記載のトランス。
【発明の詳細な説明】
【０００１】
【発明の属する技術分野】
本発明は、少なくとも、一次巻線並びに１ターンの二次巻線を備えたトランスに関するものである。
【０００２】
【従来の技術】
従来のトランスを図８に示す。このトランスは、一次巻線１、二次巻線１０、コア２０並びにボビン３０を備えてある。コア２０は鉄芯２３と外脚２４を備えて中空の巻線収納部２５を形成してあり、このコア２０の鉄芯２３をボビン３０の周壁３１に挿入してある。
【０００３】
このボビンに巻き付ける二次巻線１０は１ターンであって、周壁１２と外周壁１３とを備え、この周壁１２と外周壁１３との間に一次巻線１を挿入できるようにしてある。一方、一次巻線１は複数回巻いたコイル状の巻線である。二次巻線１０をボビン３０に巻いてあり、二次巻線１０の周壁１２を巻回してある。
【０００４】
上記のような構成であるため、二次巻線１０を巻くためにボビン３０が必要であり、このためボビン３０を設置するスペースを必要としたという課題がある。
【０００５】
【発明が解決しようとする課題】
本発明は、上記問題に鑑みてなされたものであり、導通面積を増やして、巻線抵抗を低くする新規なトランスを提供し、さらに、漏れインダクタンスが小さい新規なトランスを提供する。
【０００６】
【課題を解決しようとする手段】
上記目的を達成するためになされた本発明は、少なくとも、一次巻線、二次巻線並びにコアを備えたトランスであって、前記コアの鉄芯に１ターンの二次巻線を巻いてあり、この二次巻線は、前記鉄芯を巻いた縁に板状の周壁を設け、この周壁の上下両方の縁に鍔を設けて断面がコの字型になるように構成してあり、又は、前記二次巻線は、前記鉄芯を巻いた縁に周壁を設け、この周壁の一方の縁に鍔を備え、この鍔の外縁に前記周壁と平行の外周壁を設けて断面がＵ字型になるように構成してあり、前記周壁に前記一次巻線を巻いてあることにより、二次巻線はボビンの機能を兼ね、ボビンを設置するスペースを設ける必要がなくなり、その分導通面積が増加して、巻線抵抗を低くすることができる。
【０００７】
また、本発明によれば、前記二次巻線は、上下両縁に設けた鍔の外縁に前記周壁と平行の外周壁を設けて、この二次巻線が前記一次巻線を覆う構成にしてあるとともに、前記上鍔を着脱自在に構成してあり、前記外周壁の一部に一次巻線の引出部を引き出すための切欠若しくはスリットを形成したことにより、二次巻線で一次巻線を覆う構成になり、漏れ磁束が減り、この結果漏れインダクタンスが小さくなる。
【０００８】
【発明の実施の形態】
以下、添付図面を用いて本発明トランスに係る実施例を説明する。図１乃至図３は本発明に係るトランスの組立て工程を示し、図４はその完成図を示す。また、図５は図４図示トランスの断面図を示す。１は一次巻線、１０は二次巻線、２０はコアである。
【０００９】
本実施例に係るトランスは、一次巻線１、二次巻線１０及びコア２０を備えてある。コア２０はコア上部２１とコア下部２２とからなり、それぞれ、鉄芯２３と外脚２４を備えてあり、コア上部２１とコア下部２２とを積み合わせると、中空の巻線収納部２５を形成するように構成してある。
【００１０】
二次巻線１０は１ターンであって、コア２０の鉄芯２３に二次巻線１０を巻いてあり、鉄芯２３に巻いた二次巻線１０の内縁に周壁１２を設けてある。また、この周壁１２の下縁に鍔１１を備えてあるとともに、環状の鍔１１の外周縁に外周壁１３を備えて断面がＵ字型の溝状体１４を構成してある。また、二次巻線１０は鍔１１とほぼ同形状で着脱自在な上鍔１５を設けてあり、この上鍔１５を溝状体１４に載せて、二次巻線１０を構成する。一方、一次巻線１は二次巻線１０の周壁１２に複数回巻いたコイル状の巻線であり、この二次巻線１０の外周壁１３の一部に切欠１６を形成し、この切欠１６に一次巻線１の引出部２を引き出してある。
【００１１】
このように構成してあるトランスの各部材を以下のように組み立てる。先ず、コア下部２２の鉄芯２３に二次巻線１０の周壁１２を巻くように、二次巻線１０の溝状体１４を巻線収納部２５に収納する。二次巻線１０の周壁１２に一次巻線１を巻回し、二次巻線１０の切欠１６から一次巻線１の引出部２を引き出してある。このとき、図２に示す状態になる。続いて、一次巻線１を巻き付けた二次巻線１０の溝状体１４の上面に上鍔１５を載せると、図３に示すように、一次巻線１は全方を二次巻線１０で覆われた状態になる。さらに、コア上部２１をコア下部２２に重ね合わせると、図４に示すようにトランスを構成することができる。
【００１２】
本実施例に係るトランスは以上のように構成してあり、図５の断面図で示すように、二次巻線１０はボビンの機能を兼ねるため、ボビンを設置するスペースを設ける必要がなくなり、その分導通面積が増加して、巻線抵抗を低くすることができる。また、二次巻線１０は１ターンであって、環状の鍔１１の内周縁及び外周縁に周壁１２，１３を設けて溝状体１４を構成し、前記鍔１１とほぼ同形状で着脱自在な上鍔１５をこの溝状体１４に載せて構成したことにより、二次巻線１０で一次巻線１を覆う構成になり、漏れ磁束が減り、この結果漏れインダクタンスが小さくなる。
【００１３】
なお、図１乃至図５図示の本実施例では、二次巻線１０は断面がＵ字型の溝状体１４を備えてあり、この溝状体１４の上縁に着脱自在な上鍔１５を載せて二次巻線１０を構成してある。なお、図６で示すように、二次巻線１０は断面がＵ字型の溝状体１４のみで構成してあればよく、上鍔１５は設けてなくてもよい。この場合、二次巻線１０はボビンの機能を兼ねるため、ボビンを設置するスペースを設ける必要がなくなり、その分導通面積が増加して、巻線抵抗を低くすることができる。
【００１４】
また、図７で示すように、二次巻線１０に外周壁１３を設けず、上鍔１５を周壁１２に固定して、断面をコの字型にして、二次巻線１０をボビンとほぼ同形状に構成してあってもよい。この場合も、二次巻線１０はボビンの機能を兼ねるため、ボビンを設置するスペースを設ける必要がなくなり、その分導通面積が増加して、巻線抵抗を低くすることができる。
【００１５】
さらに、本実施例では、一次巻線１は二次巻線１０の周壁１２に複数回巻いたコイル状の巻線であるが、二次巻線１０と同様１ターンであってもよい。また、巻線はコイル状である必要はなく、例えば、シート状の巻線を複数層積み重ねて一次巻線１を構成してもよい。一次巻線１の引出部２を引き出すために、二次巻線１０の外周壁１３に切欠１６を設けてあるが、必ずしも切欠にする必要はなく、スリットであってもよい。
【００１６】
本実施例では、一般的に用いられるトランスを採用したが、一次巻線１、又は二次巻線１０、若しくは一次巻線１と二次巻線１０の双方をプリント基板内に埋め込み、このプリント基板にコア２０の鉄芯２３を挿入する孔を設け、この孔にコア２０の鉄芯２３を挿入してトランスを構成しても、上記作用をし、上記効果を得ることができる。
【００１７】
【発明の効果】
本発明によれば、少なくとも、一次巻線、二次巻線並びにコアを備えたトランスであって、前記コアの鉄芯に１ターンの二次巻線を巻いてあり、この二次巻線は、前記鉄芯を巻いた縁に板状の周壁を設け、この周壁の上下両方の縁に鍔を設けて断面がコの字型になるように構成してあり、又は、前記二次巻線は、前記鉄芯を巻いた縁に周壁を設け、この周壁の一方の縁に鍔を備え、この鍔の外縁に前記周壁と平行の外周壁を設けて断面がＵ字型になるように構成してあり、前記周壁に前記一次巻線を巻いてあることにより、二次巻線はボビンの機能を兼ね、ボビンを設置するスペースを設ける必要がなくなり、その分導通面積が増加して、巻線抵抗を低くすることができる効果がある。
【００１８】
また、本発明は、前記鍔の外縁に前記周壁と平行の外周壁を設けて、前記上鍔は着脱可能にし、前記外周壁の一部に一次巻線の引出部を引き出すための切欠若しくはスリットを形成したことにより、金属で構成してある二次巻線で一次巻線を覆う構成になり、漏れ磁束が減り、この結果漏れインダクタンスが小さくなる効果がある。
【図面の簡単な説明】
【図１】本発明に係る一実施例の全体分解斜視図である。
【図２】前記実施例の一部を組み立てた分解斜視図である。
【図３】同じく一部を組み立てた分解斜視図である。
【図４】前記実施例を組み立てた状態の斜視図である。
【図５】図４図示実施例の断面図である。
【図６】図５図示実施例とは別の実施例の断面図である。
【図７】図５及び図６図示実施例とは別の実施例の断面図である。
【図８】従来例の断面図である。
【符号の説明】
１　一次巻線
２　引出部
１０　二次巻線
１１　鍔
１２　周壁
１３　外周壁
１４　溝状体
１５　上鍔
１６　切欠
２０　コア
２１　コア上部
２２　コア下部
２３　鉄芯
２４　外脚
２５　巻線収納部
３０　ボビン
３１　周壁
【図１】
2004087742.tif 000003
【図２】
2004087742.tif 000004
【図３】
2004087742.tif 000005
【図４】
2004087742.tif 000006
【図５】
2004087742.tif 000007
【図６】
2004087742.tif 000008
【図７】
2004087742.tif 000009
【図８】
2004087742.tif 000010